(57)【要約】【課題】宝石の輝きを強調し大きく見せるための金属製の飾り枠に、宝石を簡単且つ的確に固定し、その飾り枠を装身具の宝石取付け台に対し正しい位置に正確且つ確実に固定する。【解決手段】金属製の飾り枠の上端面に多数の突条を放射状に形成し、そのうち少なくも一部の突条の一端を飾り枠の内側に向けて変形することにより、飾り枠の内側の凹陥部に嵌め入れた宝石を飾り枠に対し一体的に固定する。そして、装身具の宝石取付け台には飾りピンを複数本起立し、これら飾りピンと飾りピンの間に、前記の宝石を固定した飾り枠を挿入して、飾りピンにより飾り枠を位置決めし、さらに、飾り枠の底面を宝石取付け台に対し固着する。【選択図】図１７
2010005346.tif 000002
【特許請求の範囲】
【請求項１】
金属製の飾り枠の上端面に多数の突条を放射状に形成し、そのうち少なくも一部の突条の一端を飾り枠の内側に向けて変形することにより、飾り枠の内側の凹陥部に嵌め入れた宝石を飾り枠に対し一体的に固定し、
また、装身具の宝石取付け台には、飾りピンを起立し、この飾りピンにより飾り枠を位置決めし、
さらに、この飾り枠を宝石取付け台に対し固定して成る装身具の宝石取付け構造。
【請求項２】
前記飾りピンを複数本起立し、これら飾りピンと飾りピンの間に、前記の宝石を固定した飾り枠を挿入して飾り枠を位置決めすることを特徴とする請求項1記載の装身具の宝石取付け構造。
【請求項３】
前記突条をダイヤカットにより形成することを特徴とする請求項1記載の装身具の宝石取付け構造。
【請求項４】
前記凹陥部の底部と、宝石取付け台にそれぞれ通孔を明け、これらの通孔を連通することを特徴とする請求項1記載の装身具の宝石取付け構造。
【請求項５】
前記宝石取付け台に通孔を明け、この通孔の内周面と、飾り枠の底面とを、レーザ溶接することにより、飾り枠と宝石取付け台の固定を行うことを特徴とする請求項1記載の装身具の宝石取付け構造。
【請求項６】
前記飾り枠を宝石取付け台にロー付けすることにより、飾り枠と宝石取付け台の固定を行うことを特徴とする請求項1記載の装身具の宝石取付け構造。  
【発明の詳細な説明】
【技術分野】
【０００１】
本発明は、ペンダントや指輪などの装身具にダイヤやルビーなどの宝石を取付ける構造に関する。特に、装身具に付けた宝石の見かけの印象を大きくする構造に関する。
【背景技術】
【０００２】
装身具に付けた宝石を大きく見せるための発明は、従来から提案されている。
たとえば特許文献１は、宝石の外周を、凹凸を付した光沢に富む金属製の支持体で囲むことにより、宝石を大きく見せている。この支持体を、特許文献２に示すように、立爪で固定して指輪にしたり、特許文献３のように、装身具用部材の貫通孔に埋め込んで、ペンダントに組み立てたりする。  
【０００３】
しかし特許文献１では、宝石を支持体の係止爪で固定するから、支持体に飾りの凹凸を加工する際、切削工具が先に形成した係止爪に干渉しないよう、作業に神経を使わなければならないという問題点がある。
【０００４】
また立爪で固定する方法は、立爪の本数が宝石１個当り少なくも３〜５本要するから、宝石の数が１個の場合はまだしも２個以上になると、立爪の本数が３〜５の倍数で急増し、立爪を曲げたりする固定加工が煩雑になるし、貫通孔に埋め込む方法も、貫通孔が複数の場合は、貫通孔の間を詰めるにも限界があるから、接近して宝石を並べるのが困難であるという問題点がある。
【特許文献１】特許２７１０７９５号公報
【特許文献２】実開平３-６４５１２号公報
【特許文献３】特開２００３-８８４０８号公報
【発明の開示】
【発明が解決しようとする課題】
【０００５】
これらの問題点こそ本発明が解決しようとする課題である。
すなわち、本発明の目的は、宝石の輝きを強調し大きく見せるための金属製の飾り枠に、宝石を簡単且つ的確に固定し、その飾り枠を装身具の宝石取付け台に対し正しい位置に正確且つ確実に固定することにある。
【課題を解決するための手段】
【０００６】
前記課題を解決し、発明の目的を達成するために、請求項１記載の発明は、金属製の飾り枠の上端面に多数の突条を放射状に形成し、そのうち少なくも一部の突条の一端を飾り枠の内側に向けて変形することにより、飾り枠の内側の凹陥部に嵌め入れた宝石を飾り枠に対し一体的に固定する。そして、装身具の宝石取付け台には飾りピンを起立し、この飾りピンにより飾り枠を位置決めして飾り枠を宝石取付け台に対し固定することを特徴とする。
請求項２記載の発明は、請求項１の構成において、飾りピンを複数本起立し、
これら飾りピンと飾りピンの間に、前記の宝石を固定した飾り枠を挿入して、飾りピンにより飾り枠を位置決めすることを特徴とする。
請求項３記載の発明は、請求項１の構成において、突条をダイヤカットにより形成することを特徴とする。
請求項４記載の発明は、請求項１の構成において、凹陥部の底部と、宝石取付け台にそれぞれ通孔を明け、これらの通孔を連通することを特徴とする。
請求項５記載の発明は、請求項１の構成において、宝石取付け台に通孔を明け、この通孔の内周面と、飾り枠の底面とを、レーザ溶接することにより、飾り枠と宝石取付け台の固定を行うことを特徴とする。
請求項６記載の発明は、請求項１の構成において、飾り枠を宝石取付け台にロー付けすることにより、飾り枠と宝石取付け台の固定を行うことを特徴とする。
【発明の効果】
【０００７】
請求項１記載の発明では、金属製の飾り枠の内側に宝石を嵌め入れ、宝石の外周を囲む飾り枠の上端面に多数の突条を放射状に形成するので、突条の斜面（facetファセット）の光沢と宝石の輝きが渾然一体となり、看る者に宝石の径が飾り枠の外縁の大きさに拡大した印象を与える。
加えて、突条の一端を内側に向けて変形することにより宝石を固定するので、従来の係止爪のような固定手段を別途設ける必要がなく、このため飾り枠を簡易に製作でき、そのうえ、この飾り枠を宝石取付け台に対し飾りピンで位置決めした状態で、その底面を固着するので、結果、宝石を正しい位置に正確且つ容易に組み付けることが出来るという効果を奏する。
【０００８】
請求項２記載の発明では、飾りピンを複数本起立し、これら飾りピンと飾りピンの間に、前記の宝石を固定した飾り枠を挿入して、飾りピンにより飾り枠を位置決めする。従って位置決めが簡単確実である。
請求項３記載の発明では、前記突条をダイヤカットにより形成するので、光沢に富むファセットが得られ、宝石がいっそう大きく輝く。
【０００９】
請求項４記載の発明では、前記凹陥部の底部と宝石取付け台にそれぞれ通孔を明け、これらの通孔を連通するので、両通孔を経て外部の明りを宝石に取り込むことができる。
【００１０】
請求項５記載の発明は、飾り枠と宝石取付け台の固着を行うのに、宝石取付け台の通孔の内周面と飾り枠の底面とを、レーザ溶接するので、溶接跡が目につかず美観を損なわない。
【００１１】
請求項６記載の発明は、飾り枠と宝石取付け台の固着を行うのに、飾り枠を宝石取付け台にロー付けするので、たとえ飾り枠の底面と宝石取付け台の間に隙間があっても、飾り枠の側面をロー付けすれば固定できる。従って、宝石取付け台側の形状にとらわれず、デザインの自由度が増すという効果がある。
【発明を実施するための最良の形態】
【００１２】
本発明の実施態様を説明する。
図１，２において、１は、ブリリアントカットのようなファセット加工を施した研磨石すなわち宝石で、通常はダイヤモンドであるが、ルビーやサファイアのような、色石でもよい。
２は金属製の飾り枠で、金属の種類としては、ダイヤモンドが相手の場合は組合せとして同じ白色系のホワイトゴールドが好適である。宝石の色によっては、イエローゴールド、ピンクゴールド、若しくはプラチナなどの貴金属を使用する。
飾り枠２の素材形状は円筒体で、その内側の形は、宝石１の外周形状に従い、円形のほか、楕円形や角形にする。
この円筒体をプレス、キャスト、または鍛造により、その環状の上端面３を、円筒体と同じ中心線を有する円錐形に形成し、これにより外側に向け低く緩やかに傾いた傾斜面にする。円筒体に代え、線を切削して同様の形状に加工してもよい。
なお、図５〜８に示すように、円錐形とは逆の漏斗状に成形し、この上端面３を、円筒体の内側に向け低く緩やかに傾いた傾斜面にしてもよい。いずれにおいても、上端面３を傾斜面にすると、宝石のクラウンと馴染んで、宝石と飾り枠との一体感が増す効果がある。
【００１３】
次に、この上端面３をダイヤモンドカット機（図示せず）で切削して、上端面に鏡面のファセット加工を施す。ファセット加工は、環状の上端面の中心線より放射状になるよう、中心から外周に向け、あるいは外周から中心に向け、行う。切削の深さは、全部又は一部を、上端面の内側ほど浅く外側ほど深くする。これによりファセットを多角的に作成でき、宝石の見かけ上の大きさを大きくすることが出来る。
図９は上端面３の拡大平面図である。
これより明らかなように、前記ファセット加工により、上端面に中心から外側に延びた放射状の突条４が多数完成する。突条の数は飾り枠の大きさにもよるが、少なくも３、多くて１６が好適である。突条の数が多すぎると結果的に突条の高さが不足し、反射効率が却って低下する。図の例では突条４の数は８である。
図１２〜１４に、それぞれ、図１１のＡ―Ａ線、Ｂ―Ｂ線、及びＣ―Ｃ線に沿って展開した端面の形状を示す。
図１２より、環状の上端面の内周に、突条４の頂点が８つ出現することが理解できる。これらの突条４を形作る屋根型の斜面に谷５を切り込み、これによりファセットを多角的に作成している。谷５の数は、図の例で、突条４の倍数すなわち１６である。
突条４が完成したら、円筒体の内側を宝石の大きさに合わせて、精密に皿もみをし、凹陥部６を形成して、これにより飾り枠７を完成する。
【００１４】
次に、凹陥部６に宝石１を嵌めるが、このとき、宝石１のガードル（エッジ）が凹陥部６の内部に設けたテーパ８に当って止った状態において、宝石１と突条４の位置関係は、突条４の、凹陥部６にのぞむ頂点Ｐよりも、宝石１のガードルが低いことが必要である。
また、宝石1を嵌めたとき、宝石１のクラウン（上面）の高さは、飾り枠２の上端面と同じか、少し高い程度が好ましい。図３，４及び図７，８は凹陥部の別の例を示す。これらの例では、テーパ８の代わりに段部９がパビリオンを受け止めて宝石１の過剰な沈み込みを阻止している。
【００１５】
次に、図１５のように、突条４の頂点Ｐをそのすぐ外側の位置からたがねＴ（鏨）で彫り下げて、頂点Ｐに爪を立て、この爪を内側に曲げることにより（図１６）、ガードルの上に突条４の頂点Ｐ部分を被せて、宝石１を凹陥部６の内側に固定する。爪を被せる箇所は、少なくも２箇所以上、図１９の例では４箇所である。
図１〜８の凹陥部６は底部に通孔１０を有するが、通孔を設けずに有底でもよい。
【００１６】
次に、この飾り枠７を装身具の宝石取付け台１１に固着するのであるが、その前に、宝石取付け台１１には、飾りピン１２を複数本起立しておく。飾りピン１２は鋳型を使い、宝石取付け台１１の成形と同時に一体的に作成する。図１７〜２１の例では、飾りピン１２の本数は８で、その高さは飾り枠７より高く、頭部が半球状に形成されている。１３は通孔で、口径の寸法を飾り枠７の外径より小とする。これらの図の例では通孔１３の数は３である。
そして、これら飾りピン１２と飾りピン１２の間に、前記の宝石１を付けた飾り枠７を挿入して、飾りピン１２により飾り枠７を位置決めし、さらに、当該飾り枠７の底面を宝石取付け台１１に対し固着する。
この状態で、飾りピン１２は飾り枠７の外周に接し、飾り枠７より高い頭部が光沢を放つので、あたかも飾りピン１２が宝石１を係止している印象を与える。
飾り枠の固着の方法としては、レーザ溶接とロー付けがある。レーザ溶接は宝石取付け台側の通孔１３の内周と飾り枠７の底面とをスポット的に溶接するので、溶接跡がほとんど見えない。図２０の符号１４はレーザ溶接の溶接跡を示す。
ロー付けの場合は、飾り枠７の底面と宝石取付け台１１の上面を接着するので、接着面積を確保する観点から、宝石取付け台側の通孔１３は小さくするか、無くすことが好ましい。飾り枠７の側面を飾りピン７などにロー付けすることも可能である。
飾り枠７の通孔１０と宝石取付け台１１の通孔１３は、中心を共通にする。これにより、両通孔を経て宝石１に明りを取り入れることができる。
このようにして飾り枠７を介して宝石１を宝石取付け台１１にセットし、これを利用して、図２４のような指輪にしたり、図２５のペンダントに仕上げる。
【００１７】
飾りピン１２は、図２２又は図２３のように、飾り枠７の直径方向に相対して配置してもよい。
図２６、２７は、ペンダントの別の例で、宝石取付け台１１には１個の飾り枠７が固定されている。この例の飾りピン１２は１本で、これに対向する宝石取付け台１１の溝部１１aとの間で飾り枠７を位置決めして、その底面を宝石取付け台１１に対しロー付けして固定する。１５はチェーンを通す孔を示す。
図２８，２９は、指輪の別の例で、飾りピン１２の数は６本ある。この６本の飾りピン１２が１個の飾り枠７の外周を囲むように配置され、飾り枠７を位置決めしている。
図３０〜３２は、指輪のさらに別の例で、指輪本体から立ち上がった４本の飾りピン１２の中央に飾り枠１２を装着している。飾り枠１２の底面は、４本の飾りピン１２を互いに連結するリング状の宝石取付け台１１の上に固定されている。固定の方法は、レーザ溶接がロー付けによる。この例の飾りピンは円柱形でなく平板状で、飾り枠１２の外周に面接触するので、位置決めがいっそう確実で且つ飾り枠１２を安定して支持できる。
なお以上の実施態様では、飾りピンは飾り枠を位置決めするだけで、固定にはほとんど寄与しないが、飾りピンの先端を内側に変形させて、従来の爪が宝石を固定するのと同様に、飾り枠を固定してもよい。その場合は、当然ながらロー付けや溶接は不要である。
【図面の簡単な説明】
【００１８】
【図１】本発明を実施した飾り枠の断面図である。
【図２】図１の飾り枠に宝石を嵌めた状態を示す。
【図３】２番目の例の飾り枠の断面図である。
【図４】図３の飾り枠に宝石を嵌めた状態を示す。
【図５】３番目の例の飾り枠の断面図である。
【図６】図５の飾り枠に宝石を嵌めた状態を示す。
【図７】４番目の例の飾り枠の断面図である。
【図８】図７の飾り枠に宝石を嵌めた状態を示す。
【図９】図１の飾り枠の拡大平面図である。
【図１０】図９の側面図である。
【図１１】図１の飾り枠の説明図である。
【図１２】図１１のＡ−Ａ線に沿う展開図である。
【図１３】図１１のＢ−Ｂ線に沿う展開図である。
【図１４】図１１のＣ−Ｃ線に沿う展開図である。
【図１５】飾り枠に宝石を留める工程の説明図である。
【図１６】飾り枠に宝石を留める工程の説明図である。
【図１７】本発明を実施した宝石取付け台の断面図である。
【図１８】図１７の宝石取付け台に飾り枠を組み付けた断面図である。
【図１９】図１８の平面図である。
【図２０】図１８の底面図である。
【図２１】図１８の側面図である。
【図２２】飾りピンの配置を変更した別の例の宝石取付け台に、飾り枠を組み付けた状態の平面図である。
【図２３】さらに別の例の宝石取付け台に、飾り枠を組み付けた状態の平面図である。
【図２４】本発明を利用した指輪を示す。
【図２５】本発明を利用したペンダントを示す。
【図２６】別の例のペンダントの平面図である。
【図２７】図２６のペンダントの断面図である。
【図２８】別の例の指輪の平面図である。
【図２９】図２８の一部を断面で示す正面図である。
【図３０】さらに別の例の指輪の平面図である。
【図３１】図３０の指輪から飾り枠を取り外した状態の平面図である。
【図３２】図３０の指輪の正面図である。
【符号の説明】
【００１９】
１      宝石
２      枠
３      上端面
４      突条
５      谷
６      凹陥部
７      枠
８      テーパ
９      段部
１０    通孔
１１    台
１２    ピン
【図１】
2010005346.tif 000003
【図２】
2010005346.tif 000004
【図３】
2010005346.tif 000005
【図４】
2010005346.tif 000006
【図５】
2010005346.tif 000007
【図６】
2010005346.tif 000008
【図７】
2010005346.tif 000009
【図８】
2010005346.tif 000010
【図９】
2010005346.tif 000011
【図１０】
2010005346.tif 000012
【図１１】
2010005346.tif 000013
【図１２】
2010005346.tif 000014
【図１３】
2010005346.tif 000015
【図１４】
2010005346.tif 000016
【図１５】
2010005346.tif 000017
【図１６】
2010005346.tif 000018
【図１７】
2010005346.tif 000019
【図１８】
2010005346.tif 000020
【図１９】
2010005346.tif 000021
【図２０】
2010005346.tif 000022
【図２１】
2010005346.tif 000023
【図２２】
2010005346.tif 000024
【図２３】
2010005346.tif 000025
【図２４】
2010005346.tif 000026
【図２５】
2010005346.tif 000027
【図２６】
2010005346.tif 000028
【図２７】
2010005346.tif 000029
【図２８】
2010005346.tif 000030
【図２９】
2010005346.tif 000031
【図３０】
2010005346.tif 000032
【図３１】
2010005346.tif 000033
【図３２】
2010005346.tif 000034